(57)【特許請求の範囲】
【請求項１】
フラッシュランプと、
前記フラッシュランプを発光させるための回路が設けられた配線基板と、
導電性材料からなり、前記フラッシュランプ及び前記配線基板を収容する筐体と、
前記配線基板に直接的に接続された配線、前記配線を覆う電磁シールド層、及び前記電磁シールド層を覆う絶縁性保護層を有し、前記筐体に形成された開口を介して前記筐体の内側及び外側に延在する電磁シールドケーブルと、
前記筐体のうち前記開口を画定する部分に沿うように導電性材料によって板状に形成された固定部材と、を備え、
前記電磁シールド層は、少なくとも前記開口に対応する部分において露出させられており、
前記電磁シールド層のうち前記開口に対応する前記部分は、前記固定部材によって、前記筐体のうち前記開口を画定する前記部分に電気的に接続されている、フラッシュ光源装置。
【請求項２】
導電性材料からなり、前記電磁シールド層のうち前記開口に対応する前記部分を保持する保持部材を更に備え、
前記固定部材は、前記筐体のうち前記開口を画定する前記部分に前記保持部材を固定する、請求項１記載のフラッシュ光源装置。
【請求項３】
前記固定部材は、前記開口が開口する方向から見た場合に、前記筐体のうち前記開口を画定する前記部分と前記電磁シールド層のうち前記開口に対応する前記部分との間に形成される隙間と重なっている、請求項２記載のフラッシュ光源装置。
【請求項４】
前記保持部材及び前記固定部材は、前記筐体の外側に配置されている、請求項２又は３記載のフラッシュ光源装置。
【請求項５】
前記電磁シールド層は、前記筐体のうち前記開口を画定する前記部分に沿って露出させられている、請求項１〜４のいずれか一項記載のフラッシュ光源装置。
【請求項６】
前記筐体には、前記フラッシュランプの密封容器が配置された貫通孔が形成されており、
前記貫通孔は、前記筐体の第１壁部に形成されており、
前記開口は、前記第１壁部と対向する前記筐体の第２壁部に形成されている、請求項１〜５のいずれか一項記載のフラッシュ光源装置。
【発明の詳細な説明】
【技術分野】
【０００１】
本発明は、フラッシュ光源装置に関する。
【背景技術】
【０００２】
特許文献１記載のフラッシュ光源装置は、フラッシュランプと、フラッシュランプを発光させるための回路が設けられた配線基板と、フラッシュランプ及び配線基板を収容する筐体と、を備えている。
【先行技術文献】
【特許文献】
【０００３】
【特許文献１】特開２０１４−１７９２０５号公報
【発明の概要】
【発明が解決しようとする課題】
【０００４】
特許文献１記載のフラッシュ光源装置は十分な小型化が可能であるが、更なる設置スペースの縮小化及び電磁ノイズの放出の抑制が求められている。
【０００５】
本発明は、設置スペースの縮小化及び電磁ノイズの放出の抑制を両立し得るフラッシュ光源装置を提供することを目的とする。
【課題を解決するための手段】
【０００６】
本発明のフラッシュ光源装置は、フラッシュランプと、フラッシュランプを発光させるための回路が設けられた配線基板と、導電性材料からなり、フラッシュランプ及び配線基板を収容する筐体と、配線基板に直接的に接続された配線、配線を覆う電磁シールド層、及び電磁シールド層を覆う絶縁性保護層を有し、筐体に形成された開口を介して筐体の内側及び外側に延在する電磁シールドケーブルと、を備え、電磁シールド層は、少なくとも開口に対応する部分において露出させられており、電磁シールド層のうち開口に対応する部分は、筐体のうち開口を画定する部分に電気的に接続されている。
【０００７】
このフラッシュ光源装置では、電磁シールドケーブルの配線が配線基板に直接的に接続されている。そのため、例えばコネクタを介して配線基板と電磁シールドケーブルとを電気的に接続するような場合に比べ、筐体における開口の外側近傍から電磁シールドケーブルを撓ませることができる。したがって、フラッシュ光源装置の設置スペースを縮小化することができる。また、電磁シールド層のうち開口に対応する部分が、筐体のうち開口を画定する部分に電気的に接続されている。これにより、筐体のうち開口を画定する部分において電磁シールド層が絶縁性保護層に覆われており当該部分に電磁シールド層が電気的に接続されていない場合に比べ、配線基板等から筐体の外側に放出される電磁ノイズの量を減少させることができる。以上により、このフラッシュ光源装置によれば、設置スペースの縮小化及び電磁ノイズの放出の抑制を両立することができる。
【０００８】
本発明のフラッシュ光源装置は、導電性材料からなり、電磁シールド層のうち開口に対応する部分を保持する保持部材と、筐体のうち開口を画定する部分に保持部材を固定する固定部材と、を更に備えてもよい。これによれば、簡易な構成で、電磁シールド層と筐体とを確実に電気的に接続することができる。
【０００９】
本発明のフラッシュ光源装置では、固定部材は、導電性材料からなってもよい。これによれば、簡易な構成で、電磁シールド層と筐体とをより確実に電気的に接続することができる。
【００１０】
本発明のフラッシュ光源装置では、固定部材は、開口が開口する方向から見た場合に、筐体のうち開口を画定する部分と電磁シールド層のうち開口に対応する部分との間に形成される隙間と重なっていてもよい。これによれば、配線基板等から当該隙間を介して筐体の外側に放出される電磁ノイズの量を減少させることができる。したがって、電磁ノイズの放出をより確実に抑制することができる。
【００１１】
本発明のフラッシュ光源装置では、保持部材及び固定部材は、筐体の外側に配置されていてもよい。これによれば、筐体のうち開口を画定する部分に、電磁シールド層を保持した保持部材を容易に固定することができる。
【００１２】
本発明のフラッシュ光源装置では、電磁シールド層は、筐体のうち開口を画定する部分に沿って露出させられていてもよい。これによれば、電磁シールド層のうち筐体の内側に配置される部分が絶縁性保護層に覆われているので、筐体の内側において電磁シールド層が何らかの部材に接触してショートするような事態を防止することができる。
【００１３】
本発明のフラッシュ光源装置では、筐体には、フラッシュランプの密封容器が配置された貫通孔が形成されており、貫通孔は、筐体の第１壁部に形成されており、開口は、第１壁部と対向する筐体の第２壁部に形成されていてもよい。これによれば、特に第１壁部と第２壁部とが対向する方向に垂直な方向において、フラッシュ光源装置の設置スペースを縮小化することができる。
【発明の効果】
【００１４】
本発明によれば、設置スペースの縮小化及び電磁ノイズの放出の抑制を両立し得るフラッシュ光源装置を提供することが可能となる。
【図面の簡単な説明】
【００１５】
【図１】本発明の一実施形態のフラッシュ光源装置の斜視図である。
【図２】図１のII−II線に沿ってのフラッシュ光源装置の断面図である。
【図３】図１のIII−III線に沿ってのフラッシュ光源装置の断面図である。
【図４】図１のフラッシュ光源装置の保持及び固定構造の平面図である。
【図５】（ａ）保持及び固定構造の第１変形例の平面図である。（ｂ）保持及び固定構造の第２変形例の平面図である。
【図６】（ａ）保持及び固定構造の第３変形例の斜視図である。（ｂ）保持及び固定構造の第４変形例の斜視図である。
【図７】保持及び固定構造の第５変形例の断面図である。
【図８】（ａ）保持及び固定構造の第６変形例の側面図である。（ｂ）保持及び固定構造の第７変形例の側面図である。
【図９】保持及び固定構造の第８変形例の平面図である。
【図１０】保持及び固定構造の第９変形例の斜視図である。
【発明を実施するための形態】
【００１６】
以下、本発明の実施形態について、図面を参照して詳細に説明する。なお、各図において同一又は相当部分には同一符号を付し、重複する説明を省略する。
【００１７】
図１、図２及び図３に示されるように、フラッシュ光源装置１は、フラッシュランプ１０と、２枚の配線基板２０，３０と、筐体４０と、を備えている。フラッシュランプ１０は、密封容器１１と、陰極１２と、陽極１３と、トリガ電極（図示省略）と、スパーカ電極（図示省略）と、複数のリードピン１４と、を有している。フラッシュランプ１０は、複数のリードピン１４が密封容器１１の一端部から突出した構成を有している。このような構成を有するフラッシュランプ１０は、直管型のフラッシュランプ（陰極及び陽極が直管の両端部に互いに離れて配置された構成を有するもの）とは異なり、例えば１０Ｈｚ以上といった高周波数での点灯に適している。
【００１８】
密封容器１１内には、放電ガス（例えばキセノンガス）が封入されている。密封容器１１は、側管１１ａ、ステム１１ｂ及び光透過部材１１ｃによって構成されている。側管１１ａは、金属材料によって、例えば円筒状に形成されている。側管１１ａの中心線は、方向Ａに平行である。ステム１１ｂは、金属材料によって、例えば円板状に形成されている。ステム１１ｂは、側管１１ａの一端部を塞いでいる。光透過部材１１ｃは、ガラスによって、例えば円板状に形成されている。光透過部材１１ｃは、側管１１ａの他端部を塞いでいる。なお、ステム１１ｂには、封止管１５が設けられている。封止管１５は、密封容器１１の一端部から突出している。封止管１５は、密封容器１１内に放電ガスを充填するために用いられ、放電ガスの充填後に封止されたものである。
【００１９】
陰極１２及び陽極１３は、方向Ａと交差する方向（ここでは、方向Ａと直交する方向）において互いに対向している。陰極１２及び陽極１３は、密封容器１１内においてアーク放電を生じさせる。トリガ電極は、アーク放電に先立って予備放電を生じさせる。スパーカ電極は、アーク放電を安定して生じさせる。アーク放電によって発生した光は、光透過部材１１ｃを介して方向Ａに沿って出射される。陰極１２、陽極１３、トリガ電極及びスパーカ電極のそれぞれは、各リードピン１４の端部に固定されている。各リードピン１４は、絶縁部材（図示省略）を介してステム１１ｂを貫通しており、上述したように、密封容器１１の一端部から突出している。
【００２０】
配線基板２０は、方向Ａにおいて互いに対向する表面２０ａ及び裏面２０ｂを有している。配線基板２０は、表面２０ａが筐体４０の第１壁部４１側に向いた状態で、筐体４０内に配置されている。配線基板２０は、スペーサ２を介して筐体４０の第１壁部４１に固定されている。配線基板２０の表面２０ａには、フラッシュランプ１０の各リードピン１４が半田等の導電性接合部材によって固定されている。これにより、フラッシュランプ１０は、配線基板２０に設けられた回路（フラッシュランプ１０を発光させるための回路）に電気的に接続されている。
【００２１】
配線基板２０の表面２０ａ及び裏面２０ｂには、複数のチップコンデンサ２１ａ、複数の抵抗素子２２等の回路部品が実装されている。各回路部品は、フラッシュランプ１０を発光させるための回路を構成している。一例として、複数のチップコンデンサ２１ａは、フラッシュランプ１０に供給するための電流の充電及び放電を行う給電部２１を構成している。給電部２１において、複数のチップコンデンサ２１ａは、互いに並列に接続されている。なお、配線基板２０には、貫通孔２０ｃが形成されている。貫通孔２０ｃには、フラッシュランプ１０の封止管１５が配置されている。
【００２２】
配線基板３０は、方向Ａにおいて互いに対向する表面３０ａ及び裏面３０ｂを有している。配線基板３０は、表面３０ａが配線基板２０側に向いた状態で、筐体４０内に配置されている。配線基板３０は、スペーサ３を介して配線基板２０に固定されている。配線基板３０の表面３０ａ及び裏面３０ｂには、電解コンデンサ３１、トランス（昇圧部）３２、抵抗素子３３等の回路部品が実装されている。各回路部品は、フラッシュランプ１０を発光させるための回路を構成している。一例として、電解コンデンサ３１は、電源ノイズを除去する。トランス３２は、電源側の一次回路とフラッシュランプ１０側の二次回路との間に設けられている。トランス３２は、一次側コイルに入力された例えば１００〜３００Ｖのパルス電圧を増幅（昇圧）し、例えば５〜７ｋＶのパルス電圧を二次側コイルから出力する。
【００２３】
筐体４０は、上述した第１壁部４１に加え、第２壁部４２及び複数の第３壁部４３を有している。第１壁部４１及び第２壁部４２は、２枚の配線基板２０，３０を介して、方向Ａにおいて互いに対向している。複数の第３壁部４３は、第２壁部４２の周縁部に立設されている。第２壁部４２及び複数の第３壁部４３は、一体的に形成された有底容器を構成している。第１壁部４１は、当該有底容器の開口部に嵌められた状態で、例えばネジ止めによって当該開口部に固定されている。
【００２４】
第１壁部４１には、貫通孔４１ａが形成されている。貫通孔４１ａには、フラッシュランプ１０の密封容器１１が配置されている。フラッシュランプ１０の光透過部材１１ｃの外面は、第１壁部４１の外面と面一になっている。密封容器１１の側管１１ａと第１壁部４１とは、互いに接触することで、熱的に接続されている。これにより、発光によって発熱したフラッシュランプ１０から第１壁部４１（延いては、第１壁部４１）に効率良く熱を逃がすことができる。なお、密封容器１１の側管１１ａと第１壁部４１とは、それらの間に伝熱部材が配置されることで、熱的に接合されていてもよい。
【００２５】
筐体４０（すなわち、第１壁部４１、第２壁部４２及び複数の第３壁部４３）は、金属材料等の導電性材料によって、例えば直方体状に形成されている。筐体４０は、フラッシュランプ１０及び２枚の配線基板２０，３０を収容している。ここで、「筐体４０がフラッシュランプ１０を収容する」とは、少なくとも各リードピン１４のうち密封容器１１の一端部から突出した部分を筐体４０が収容することを意味する。
【００２６】
更に、フラッシュ光源装置１は、電磁シールドケーブル５０と、保持部材６０と、固定部材７０と、を備えている。電磁シールドケーブル５０は、複数の配線５１と、電磁シールド層５２と、絶縁性保護層５３と、を有している。電磁シールドケーブル５０は、２枚の配線基板２０，３０と外部の回路とを電気的に接続するための可撓性のケーブルである。電磁シールドケーブル５０は、筐体４０の第２壁部４２に例えば円形状に形成された開口４５を介して筐体４０の内側及び外側に延在している。
【００２７】
複数の配線５１は、筐体４０の内側において露出させられている。つまり、電磁シールドケーブル５０の端部において電磁シールド層５２及び絶縁性保護層５３が部分的に除去されることで、複数の配線５１の端部５１ａが外部（筐体４０内の空間）に露出させられている。各配線５１は、配線基板３０の裏面３０ｂの所定部に直接的に接続されている。一例として、各配線５１の端部５１ａでは、絶縁性保護膜が部分的に除去されることで導線の端部が露出させられており、当該導線が半田等の導電性接合部材によって配線基板３０の裏面３０ｂの所定部に固定されている。このように、各配線５１は、コネクタ等の接続部品を介することなく、配線基板３０に直接的に接続されている。なお、各配線５１は、例えば、電力供給配線、信号入力配線等である。
【００２８】
電磁シールド層５２は、電磁シールドケーブル５０の略全長に渡って、複数の配線５１を覆っている。電磁シールド層５２は、金属材料等の導電性材料によって管状に形成されている。一例として、電磁シールド層５２は、網目状に編まれた複数の金属線によって管状に形成されており、金属線同士は、互いに電気的に接続されている。絶縁性保護層５３は、電磁シールドケーブル５０の略全長に渡って、電磁シールド層５２を覆っている。絶縁性保護層５３は、例えばエラストマー等の絶縁性材料によって管状に形成されている。
【００２９】
電磁シールド層５２は、開口４５に対応する部分５２ａにおいて露出させられている。つまり、電磁シールド層５２のうち開口４５に対応する部分５２ａにおいて絶縁性保護層５３が部分的に除去されることで、電磁シールド層５２の部分５２ａが外部に露出させられている。より具体的には、電磁シールド層５２は、筐体４０のうち開口４５を画定する部分４０ａ（筐体４０の外面のうち開口４５の縁に沿った領域、開口４５の内面、及び筐体４０の内面のうち開口４５の縁に沿った領域の少なくとも１つを含む部分）に沿って露出させられている。つまり、筐体４０のうち開口４５を画定する部分４０ａに沿って絶縁性保護層５３が環状に除去されることで、電磁シールド層５２の部分５２ａが外部に露出させられている。
【００３０】
図４に示されるように、保持部材６０は、金属材料等の導電性材料によって、一部が切り欠かれた環状（Ｃ字状）に形成されている。保持部材６０には、内側に突出した複数の爪部６１が設けられている。保持部材６０は、弾性変形力によって、複数の爪部６１において電磁シールド層５２の部分５２ａと接触し、当該部分５２ａを保持している。図２及び図３に示されるように、保持部材６０は、筐体４０の外側において筐体４０の部分４０ａに接触している。これにより、電磁シールド層５２の部分５２ａは、保持部材６０を介して、筐体４０の部分４０ａに確実に電気的に接続される。
【００３１】
図４に示されるように、固定部材７０は、金属材料等の導電性材料によって板状に形成されている。固定部材７０には、開口７１及び複数の貫通孔７２が形成されている。開口７１には、電磁シールドケーブル５０が挿通されている。複数の貫通孔７２は、筐体４０の第２壁部４２に形成された複数のネジ穴４２ａにそれぞれ対応している。各ネジ穴４２ａには、対応する貫通孔７２を介して、金属材料等の導電性材料からなるネジ７３が螺合されている。なお、図４では、固定部材７０及びネジ７３が二点鎖線で示されており、配線５１が省略されている。図２及び図３に示されるように、固定部材７０は、筐体４０の外側において筐体４０との間に保持部材６０を覆うように挟むことで、筐体４０の部分４０ａに保持部材６０を確実に接触させ且つ固定している。
【００３２】
図４に示されるように、筐体４０の開口４５の内径は、電磁シールドケーブル５０の外径よりも大きい。固定部材７０の開口７１の内径は、電磁シールドケーブル５０の外径よりも大きく且つ筐体４０の開口４５の内径よりも小さい。したがって、固定部材７０は、開口４５が開口する方向（円形状の開口４５の中心線に平行な方向）から見た場合に、筐体４０の部分４０ａと電磁シールド層５２の部分５２ａとの間に形成される隙間を覆うように当該隙間と重なっている。
【００３３】
以上のように構成されたフラッシュ光源装置１の動作について説明する。まず、電磁シールドケーブル５０を介して配線基板３０に設けられた主電源部に電力が供給されることで、給電部２１が充電され、その後に、陰極１２と陽極１３との間に電圧が印加される。その一方で、トランス３２の一次側コイルに例えば１００〜３００Ｖのパルス電圧が印加される。一次側コイルに印加されたパルス電圧は、トランス３２において増幅（昇圧）され、例えば５〜７ｋＶのパルス電圧が二次側コイルから出力される。二次側コイルから出力されたパルス電圧は、陽極１３及びスパーカ電極に印加される。
【００３４】
フラッシュランプ１０では、まず、スパーカ電極により予備放電が生じ、続いて、陰極１２又は陽極１３とトリガ電極との間において予備放電が生じ、これらにより、予備放電路が形成される。その後直ちに、陰極１２と陽極１３との間において、予備放電路に沿って主放電が生じる。陰極１２と陽極１３との間において主放電（アーク放電）が生じると、配線基板３０に設けられた主電源部を介して電流が供給されると共に給電部２１から蓄積電荷が出力される。アーク放電によって発生した光は、光透過部材１１ｃを介して方向Ａに沿って出射される。
【００３５】
以上説明したように、フラッシュ光源装置１では、電磁シールドケーブル５０の配線５１が配線基板３０に直接的に接続されている。そのため、例えばコネクタを介して配線基板３０と電磁シールドケーブル５０とを電気的に接続するような場合に比べ、筐体４０における開口４５の外側近傍から電磁シールドケーブル５０を撓ませることができる。したがって、フラッシュ光源装置１の設置スペースを縮小化することができる。また、電磁シールド層５２のうち開口４５に対応する部分５２ａが、筐体４０のうち開口４５を画定する部分４０ａに電気的に接続されている。これにより、筐体４０のうち開口４５を画定する部分４０ａにおいて電磁シールド層５２が絶縁性保護層５３に覆われており当該部分４０ａに電磁シールド層５２が電気的に接続されていない場合に比べ、各配線基板２０，３０等から筐体４０の外側に放出される電磁ノイズの量を減少させることができる。以上により、フラッシュ光源装置１によれば、設置スペースの縮小化及び電磁ノイズの放出の抑制を両立することができる。
【００３６】
なお、フラッシュ光源装置１では、パルス電圧を増幅（昇圧）するトランス３２が配線基板３０に設けられており、トランス３２によって増幅（昇圧）されたパルス電圧がフラッシュランプ１０の各リードピン１４に入力される。そのため、特に、フラッシュ光源装置１では、筐体４０にフラッシュランプ１０及び配線基板２０，３０を収容させること、並びに、上述したような構成によって、各配線基板２０，３０等から筐体４０の外側に放出される電磁ノイズの量を減少させることは、極めて重要である。
【００３７】
また、フラッシュ光源装置１は、電磁シールド層５２の部分５２ａが、導電性材料からなる保持部材６０によって保持されており、保持部材６０が、固定部材７０によって筐体４０の部分４０ａに固定されている。これにより、簡易な構成で、電磁シールド層５２と筐体４０とを確実に電気的に接続することができる。
【００３８】
また、フラッシュ光源装置１では、固定部材７０が導電性材料からなる。これにより、簡易な構成で、電磁シールド層５２と筐体４０とをより確実に電気的に接続することができる。
【００３９】
また、フラッシュ光源装置１では、開口４５が開口する方向から見た場合に、固定部材７０が、筐体４０の部分４０ａと電磁シールド層５２の部分５２ａとの間に形成される隙間と重なっている。これにより、当該隙間が固定部材７０によって覆われるので、配線基板２０，３０等から当該隙間を介して筐体４０の外側に放出される電磁ノイズの量を減少させることができる。したがって、電磁ノイズの放出をより確実に抑制することができる。なお、筐体４０の開口４５の内径及び固定部材７０の開口７１の内径が電磁シールドケーブル５０の外径よりも大きいのは、電磁シールドケーブル５０を容易に挿通させるためである。
【００４０】
また、フラッシュ光源装置１では、保持部材６０及び固定部材７０が、筐体４０の外側に配置されている。これにより、筐体４０の部分４０ａに、電磁シールド層５２を保持した保持部材６０を容易に固定することができる。
【００４１】
また、フラッシュ光源装置１では、電磁シールド層５２が、筐体４０の部分４０ａに沿って露出させられている。これにより、電磁シールド層５２のうち筐体４０の内側に配置される部分が絶縁性保護層５３に覆われているので、筐体４０の内側において電磁シールド層５２が何らかの部材に接触してショートするような事態を防止することができる。更に、保持部材６０による電磁シールドケーブル５０の保持力に対向して電磁シールドケーブル５０が引っ張られたとしても、電磁シールド層５２のうち筐体４０の内側に配置される部分を覆う絶縁性保護層５３が保持部材６０に接触するので、配線基板３０と各配線５１との接続部に物理的な負荷が掛かることが抑制される。
【００４２】
また、フラッシュ光源装置１では、フラッシュランプ１０の密封容器１１が配置された貫通孔４１ａが、筐体４０の第１壁部４１に形成されており、電磁シールドケーブル５０が挿通された開口４５が、第１壁部４１と対向する筐体４０の第２壁部４２に形成されている。これにより、特に第１壁部４１と第２壁部４２とが対向する方向（すなわち、方向Ａ）に垂直な方向において、フラッシュ光源装置１の設置スペースを縮小化することができる。
【００４３】
以上、本発明の実施形態について説明したが、本発明は、上述した実施形態に限定されるものではない。例えば、上述した保持部材６０に替えて、図５の（ａ）及び（ｂ）に示されるように、塑性変形によって電磁シールド層５２の部分５２ａを保持する保持部材６０が用いられてもよい。図５の（ａ）に示された保持部材６０は、金属材料等の導電性材料によって、一部が切り欠かれた円環状（Ｃ字状）に形成されている。この場合、切り欠かれた部分において互いに対向する保持部材６０の両端部が互いに重なるように保持部材６０が変形させられることで、電磁シールド層５２の部分５２ａが保持部材６０と接触し、当該部分５２ａが保持部材６０によって保持される。図５の（ｂ）に示された保持部材６０は、金属材料等の導電性材料によって円環状に形成されている。この場合、保持部材６０において電磁シールド層５２の部分５２ａを介して互いに対向する部分が内側に凸状に突出するように変形させられることで、電磁シールド層５２の部分５２ａが保持部材６０と接触し、当該部分５２ａが保持部材６０によって保持される。図５の（ａ）及び（ｂ）のいずれの場合にも、上述した固定部材７０を用いて、筐体４０の部分４０ａに保持部材６０を固定することができる。
【００４４】
また、上述した保持部材６０及び固定部材７０に替えて、図６の（ａ）及び（ｂ）に示されるように、保持機能及び固定機能の両方を有する保持部材８０が用いられてもよい。図６の（ａ）に示される保持部材８０は、円管部分８１と、フランジ部分８２と、一対の台座部分８３と、有している。円管部分８１には、スリット８１ａが形成されている。一対の台座部分８３は、スリット８１ａを介して互いに対向するように円管部分８１に設けられている。フランジ部分８２は、円管部分８１の一端部に設けられている。フランジ部分８２には、スリット８１ａと一続きとなるようにスリット８２ａが形成されている。円管部分８１、フランジ部分８２及び一対の台座部分８３は、金属材料等の導電性材料によって一体的に形成されている。この場合、電磁シールド層５２の部分５２ａが円管部分８１に挿通された状態で、一対の台座部分８３間の距離がネジによって狭められることで、電磁シールド層５２の部分５２ａが円管部分８１と接触し、当該部分５２ａが円管部分８１によって保持される。そして、フランジ部分８２がネジによって筐体４０の部分４０ａに固定される。図６の（ｂ）に示される保持部材８０は、電磁シールドケーブル５０が導入される溝８０ａが平板状部材に形成されたＵ字状部材であり、当該Ｕ字状部材には、溝８０ａを狭めるように突出した複数の爪部８４が設けられている。この保持部材８０は、ネジによって筐体４０の部分４０ａに固定され得るように構成されている。この場合、電磁シールド層５２の部分５２ａが保持部材８０の各爪部８４と接触し、当該部分５２ａが複数の爪部８４によって保持される。
【００４５】
また、電磁シールド層５２の部分５２ａが筐体４０の部分４０ａに直接的に接触させられてもよい。図７に示される例では、開口４５に対応する部分５２ａを含む電磁シールド層５２の端部が露出させられ、露出させられた電磁シールド層５２の端部が、開口４５よりも大きな径を有する円板状に変形させられることで、電磁シールド層５２の部分５２ａにフランジ部５２ｂが形成されている。そして、固定部材７０によってフランジ部５２ｂが筐体４０の部分４０ａに固定されることで、電磁シールド層５２の部分５２ａが筐体４０の部分４０ａに直接的に接触させられている。
【００４６】
また、上述した保持部材６０及び固定部材７０に替えて、図８の（ａ）及び（ｂ）に示されるように、保持機能及び固定機能の両方を有する保持部材８０が用いられてもよい。図８の（ａ）に示される保持部材８０は、一対の円環部分８５と、複数の支持部分８６と、を有している。複数の支持部分８６は、中央部の空間が狭くなるように、一対の円環部分８５間に掛け渡されている。一対の円環部分８５及び複数の支持部分８６は、金属材料等の導電性材料によって一体的に形成されている。この場合、筐体４０の開口４５に複数の支持部分８６が配置された状態で、電磁シールド層５２の部分５２ａが保持部材８０に挿通されることで、中央部の空間が広くなるように複数の支持部分８６が変形しつつ電磁シールド層５２の部分５２ａと接触する。これにより、電磁シールド層５２の部分５２ａが複数の支持部分８６によって保持されると共に、電磁シールド層５２の部分５２ａが筐体４０の部分４０ａに電気的に接続され且つ固定される。図８の（ｂ）に示される保持部材８０は、一対の円環部分８５と、複数の支持部分８７と、複数の爪部分８８と、を有している。複数の支持部分８７は、一対の円環部分８５間に掛け渡されている。複数の爪部分８８は、中央部の空間が狭くなるように、一方の円環部分８５から延在している。一対の円環部分８５、複数の支持部分８７及び複数の爪部分８８は、金属材料等の導電性材料によって一体的に形成されている。この場合、筐体４０の開口４５に複数の支持部分８７が固定された状態で、電磁シールド層５２の部分５２ａが保持部材８０に挿通されることで、中央部の空間が広くなるように複数の爪部分８８が変形しつつ電磁シールド層５２の部分５２ａと接触する。これにより、電磁シールド層５２の部分５２ａが複数の爪部分８８によって保持されると共に、電磁シールド層５２の部分５２ａが筐体４０の部分４０ａに電気的に接続され且つ固定される。
【００４７】
また、図９に示されるように、筐体４０において開口４５を画定する部分４０ａが、開口４５の大きさが可変となるように、円弧状の溝を有する複数の可動部分から構成されていてもよい。この場合、筐体４０の部分４０ａを構成する一方の部分が、他方の部分に対して図９における紙面垂直方向（開口４５が開口する方向と交差する方向）にずれて、互いに重なるような位置関係となることで、開口４５の大きさ（幅）を狭め、電磁シールド層５２の部分５２ａを挟み込むことができる。これにより、電磁シールド層５２の部分５２ａが筐体４０の部分４０ａに電気的に接続され且つ固定される。また、図１０に示されるように、電磁シールド層５２の部分５２ａが筐体４０の部分４０ａに半田等の導電性接合部材９０によって接触し、当該部分５２ａが筐体４０の部分４０ａに導電性接合部材９０によって固定されてもよい。或いは、電磁シールド層５２の部分５２ａが筐体４０の部分４０ａに溶接によって直接接合されてもよい。
【００４８】
また、フラッシュランプ１０を発光させるための回路が設けられた配線基板は、２枚の配線基板２０，３０に限定されず、１枚の配線基板であってもよいし、或いは３枚以上の配線基板であってもよい。また、開口４５は、筐体４０のうち第２壁部４２以外の壁部に形成されてもよい。
【００４９】
また、電磁シールドケーブル５０では、電磁シールド層５２が、少なくとも筐体４０の開口４５に対応する部分において露出させられていればよい。一例として、図７に示されるように、開口４５に対応する部分５２ａを含む電磁シールド層５２の端部が露出させられていてもよい。また、配線５１の本数も限定されない。
【００５０】
また、保持部材６０及び固定部材７０は、筐体４０の内側に配置されていてもよい。また、少なくとも保持部材６０が導電性材料からなっていれば、固定部材７０は、導電性材料からなっていなくてもよい。
【００５１】
また、フラッシュランプ１０の密封容器１１の側管１１ａは、他の材料（例えばガラス等）によって他の形状（例えば略多角形筒状）に形成されていてもよい。また、フラッシュランプ１０は、方向Ａに沿った方向に光を取り出すヘッドオン型であったが、方向Ａと交差する方向に光を取り出すサイドオン型であってもよい。また、陰極１２及び陽極１３は、方向Ａと交差する方向に並んで配置されていたが、方向Ａに沿った方向に並んで配置されていてもよい。また、フラッシュランプ１０の複数のリードピン１４は、半田等の導電性接合部材によって配線基板２０に直接的に固定されていたが、リードピン１４が嵌合するソケットを介して配線基板２０に固定されてもよい。
【符号の説明】
【００５２】
１…フラッシュ光源装置、１０…フラッシュランプ、１１…密封容器、２０，３０…配線基板、４０…筐体、４０ａ…部分、４１…第１壁部、４１ａ…貫通孔、４２…第２壁部、４５…開口、５０…電磁シールドケーブル、５１…配線、５２…電磁シールド層、５２ａ…部分、５３…絶縁性保護層、６０…保持部材、７０…固定部材。
【図１】
0006783531.tif 000002
【図２】
0006783531.tif 000003
【図３】
0006783531.tif 000004
【図４】
0006783531.tif 000005
【図５】
0006783531.tif 000006
【図６】
0006783531.tif 000007
【図７】
0006783531.tif 000008
【図８】
0006783531.tif 000009
【図９】
0006783531.tif 000010
【図１０】
0006783531.tif 000011